(57)【要約】【課題】  製品が小型化されてもすばやくテンポの設定ができる電子メトロノームを提供する。【解決手段】  テンポの設定方法をタップ入力のみにし、手で握って親指でタップスイッチ５を操作できるようにすることで操作性を向上させた。【選択図】  図１
2007240336.tif 000002
【特許請求の範囲】
【請求項１】
片手で保持した状態でテンポに関する情報を入力することが可能な小型の電子メトロノームであって、
前記電子メトロノームの筐体と、
前記筐体から突出し、押下するタイミングによってテンポを設定するためのタップスイッチと、
前記筐体内部に配され、前記タップスイッチから入力信号を取得した時間間隔に基づいて、テンポの値を算出するテンポ算出手段と、
前記筐体のある一面に配され、前記テンポ算出手段で算出したテンポの値を表示する表示装置と、
前記筐体内部に配され、前記テンポ算出手段で算出したテンポの値に応じた周期で発音する発音手段とを有し、
前記タップスイッチを、前記筐体の前記表示装置が配される面以外の面に配することを特徴とする電子メトロノーム。
【請求項２】
前記表示装置に表示するテンポの値が正常に読める方向から電子メトロノームを見たとき、前記タップスイッチを前記筐体の右側面、左側面、もしくは上側面に配する、請求項１に記載の電子メトロノーム。
【請求項３】
前記表示装置に表示するテンポの値が正常に読める方向から電子メトロノームを見たとき、タップスイッチを前記筐体の裏側に位置する面に配する、請求項１に記載の電子メトロノーム。
【請求項４】
前記筐体は略円柱形状を有し、
前記表示装置を前記筐体の円形を有する面に配する、請求項１から３の何れかに記載の電子メトロノーム。
【請求項５】
前記筐体は略直方体形状を有し、
前記表示装置を前記筐体のある一面に配する、請求項１から３の何れかに記載の電子メトロノーム。
【請求項６】
前記発音手段は、前記筐体の前記表示装置と同一面に近接させ、前記同一面に垂直な方向に前記筐体の外側に向かって発音するように配される、請求項１から５の何れかに記載の電子メトロノーム。
【請求項７】
さらに、前記筐体の前記表示装置と同一面に配され、前記テンポ算出手段で算出したテンポの値に応じた周期で発光する発光手段を有する、請求項１から６の何れかに記載の電子メトロノーム。
【発明の詳細な説明】
【技術分野】
【０００１】
本発明は、電子メトロノームのテンポ設定に関する。
【背景技術】
【０００２】
従来の電子メトロノームのテンポ設定の方法は、アップ・ダウンスイッチを押下することでテンポを徐々に変更して設定する方法、ロータリスイッチやロータリーエンコーダーを回転させることでテンポを徐々に変更して設定する方法、装置を叩く（タッピングする）タイミングをテンポとして設定する方法があった（例えば、特許文献１参照）。
【特許文献１】特開２００１−１４１８５２号公報
【発明の開示】
【発明が解決しようとする課題】
【０００３】
近年、電子メトロノームはその携帯性等が重視され、製品の小型化が追求されている。
【０００４】
この状況において、従来のテンポ設定方法、特にロータリスイッチを使った場合やロータリーエンコーダーを使った方法は、部品やノブが大きいため、電子メトロノーム小型化には不向きであった。また、テンポの範囲が広いとより回転させなくてはならなくなり、操作性が悪かった。
【０００５】
また、アップ／ダウン・スイッチを使った方法は、スイッチを押下する回数によりテンポが変わっていくため、テンポの範囲が広いと設定に時間がかかり、操作性が悪かった。
【０００６】
また、タッピングする方法は、テンポの入力方法としては簡便であるが、電子メトロノームが小型化されていくとタッピングする面積がより小さくなるため、タッピングすることが困難になり、正確なテンポの入力が難しく、小型の電子メトロノームには不向きであった。
【０００７】
本発明は上記問題を鑑みて、製品が小型化されてもすばやくテンポの設定ができる電子メトロノームを提供する。
【課題を解決するための手段】
【０００８】
上記課題を解決するため、本発明は、片手で保持した状態でテンポに関する情報を入力することが可能な小型の電子メトロノームであって、前記電子メトロノームの筐体と、前記筐体から突出し、押下するタイミングによってテンポを設定するためのタップスイッチと、前記筐体内部に配され、前記タップスイッチから入力信号を取得した時間間隔に基づいて、テンポの値を算出するテンポ算出手段と、前記筐体のある一面に配され、前記テンポ算出手段で算出したテンポの値を表示する表示装置と、前記筐体内部に配され、前記テンポ算出手段で算出したテンポの値に応じた周期で発音する発音手段とを有し、前記タップスイッチを、前記筐体の前記表示装置が配される面以外の面に配することを特徴とする電子メトロノームとする。
【０００９】
これにより使用者は、片手で安定的に小型の電子メトロノームを保持し、表示装置の値を見ながら、すばやくテンポの設定を行うことができる。
【００１０】
また本発明は、前記表示装置に表示するテンポの値が正常に読める方向から電子メトロノームを見たとき、前記タップスイッチを前記筐体の右側面、左側面、もしくは上側面に配するものとする。
【００１１】
これにより使用者は、本発明の電子メトロノームを片手で握り、親指を使って容易にテンポ入力を行うことができる。
【００１２】
また本発明は、前記表示装置に表示するテンポの値が正常に読める方向から電子メトロノームを見たとき、タップスイッチを前記筐体の裏側に位置する面に配するものとする。
【００１３】
これにより使用者は、本発明の電子メトロノームを片手で握り、親指以外の指を使って容易にテンポ入力を行うことができる。
【００１４】
また本発明において前記筐体は略円柱形状を有し、前記表示装置を前記筐体の円形を有する面に配するものとする。
【００１５】
これにより表示装置を円形を有する面に有する略円柱形状の電子メトロノームを提供することができる。
【００１６】
また本発明において前記筐体は略直方体形状を有し、前記表示装置を前記筐体のある一面に配するものとする。
【００１７】
これにより表示装置をある一面に有する略直方体形状の電子メトロノームを提供することができる。
【００１８】
また前記発音手段は、前記筐体の前記表示装置と同一面に近接させ、前記同一面に垂直な方向に前記筐体の外側に向かって発音するように配されるものとする。
【００１９】
これにより電子メトロノームを手で握った状態であっても、使用者の手等によりテンポ音は減衰せずに明確に発音される。
【００２０】
さらに本発明の電子メトロノームは、前記筐体の前記表示装置と同一面に配され、前記テンポ算出手段で算出したテンポの値に応じた周期で発光する発光手段を有するものとする。
【００２１】
これにより使用者は、電子メトロノームを手で握り、手を動かすことで表示装置が視認できない状態であっても、テンポに応じた発光によりテンポを視覚的に認識することができる。
【発明の効果】
【００２２】
本発明によれば、電子メトロノームのテンポの入力方法として、入力が簡便に済むタッピングの方法を用い、電子メトロノームを手に握れるような大きさ、形にすることにより、電子メトロノームの操作性を向上させ、より正確なテンポを入力することが出来る。
【発明を実施するための最良の形態】
【００２３】
以下、本発明の実施形態を図１から図３に基づいて説明する。
【００２４】
図１は本発明の電子メトロノームのハードウエアのブロック図である。
【００２５】
本発明の電子メトロノーム１０は、設定されたテンポを表示する表示装置１と、電子メトロノーム１０のテンポ音を発音する発音手段であるスピーカ２と、電子メトロノーム１０のテンポを光で表示する発光手段であるＬＥＤ３と、テンポを決めるためのタップの入力をするタップスイッチ５と、電子メトロノーム１０内に記憶している図示しないプログラムを読み出して実行し、前記の全ての構成要素を制御するマイコン４を備える。
【００２６】
まず１回タップスイッチ５を押下し、テンポの１周期に相当する時間経過した後にタップスイッチ５を再度一度押下する。これによりマイコン４は、スイッチ押下の時間間隔をテンポの周期として算出し、その周期に基づいてテンポの値を算出する。この際、タップスイッチ５をテンポの１周期に相当する時間間隔で複数回押下し、マイコン４によって、スイッチ押下の時間間隔の平均値を算出し、その値をテンポの周期として算出し、その周期に基づいてテンポの値を算出するようにしてもよい。
【００２７】
マイコン４は、算出したテンポの値を示す情報を表示装置１に送出し、テンポの値を表示させ、テンポの値に応じたタイミングでテンポ音をスピーカ２に発音させ、それと同時にＬＥＤ３も同じタイミングで発光させる。
【００２８】
図２は、本発明の電子メトロノームの概観図である。図の電子メトロノーム１０は、０．５秒間隔でタップスイッチ５を押下し、テンポの値を１２０と表示した例である。
【００２９】
図の電子メトロノーム１０は、その筐体が使用者の手で握り易いような大きさおよび形状（ここでは薄い円柱形状）をしており、手で握った際にタップスイッチ５をタッピングしやすいように、タップスイッチ５は突出した形状をしている。
【００３０】
また図の電子メトロノーム１０では、使用者が手で握った状態であってもテンポを示す発光を視認し安いように、電子メトロノーム１０の筐体の、表示装置１と同一面上にＬＥＤ３を配している。
【００３１】
さらにスピーカ２は、電子メトロノーム１０の筐体の、表示装置１と同一面に近接した筐体内部に配され、この面に垂直な方向に、電子メトロノーム１０の外側に向かって発音するように配されている。これにより、使用者が電子メトロノーム１０を手で握った状態であっても、使用者の手等によりテンポ音は減衰せずに明確に発音される。
【００３２】
図３は、本発明の電子メトロノームでタップ入力を行う時の操作説明図である。本発明の電子メトロノームは手に収まる程度の大きさで、親指でスイッチを操作できるように配置してある。手に握ってタップスイッチ５の操作が出来るので、腕全体でテンポをとりながらスイッチが押せるようになり、背景技術にあるような、単にスイッチを押すタップ入力に比べると、より正確なテンポの入力が出来るようになる。
【００３３】
電子メトロノーム１０は、図２や図３にあるような丸みを帯びた形状であると手になじみ易く、操作性が非常に良いが、片手で持てる形状であれば、これに限らない。例えば、図４にあるように、携帯電話のような大きさで略直方体形状であっても構わない。
【００３４】
また、どのような形状であっても、タップスイッチ５は、電子メトロノーム１０を手で握った際、電子メトロノーム１０の筐体の、表示装置１が設置される面以外の面に設置することが好ましい。これは、片手に電子メトロノーム１０を握りながら表示装置１に表示されるテンポの値を確認しつつ、タップスイッチ５をタッピングすることを想定した場合、電子メトロノーム１０の表示装置１が配置される面にタップスイッチ５が設置されていると、テンポの値の確認が行いづらいだけでなく、電子メトロノーム１０を手のひら全体を使って安定的に握ることが困難になり、結果として正確なテンポを入力することができなくなる可能性が高いためである。
【００３５】
またさらに、タップスイッチ５は、少なくとも電子メトロノーム１０を握る手の親指が届く範囲に設置するとより好ましい。このような条件を満たす電子メトロノーム１０のタップスイッチ５の設置位置は、表示装置１の表示画面に表示されるテンポの値が（逆さまでなく）正常に読めるように電子メトロノーム１０を見たとき、右手で電子メトロノーム１０を握る場合には、電子メトロノーム１０の右側に位置する側面もしくは上側面が好ましい。また、左手で電子メトロノーム１０を握る場合には、電子メトロノーム１０の左側に位置する側面もしくは上面が好ましい。
【００３６】
図４は、電子メトロノーム１０を右手で握る場合を想定したときの、略直方体形状の電子メトロノーム１０を示す図であり、タップスイッチ５が上側面に配されている。このように配することで電子メトロノームの概観をスリムにすることができる。また図５（ａ）は、電子メトロノーム１０を左手で握る場合を想定したときの、略直方体形状の電子メトロノーム１０を示す図であり、タップスイッチ５が左側面に配されている。このようにすることで、左手の親指でのタッピングが可能になる。
【００３７】
また、タッピングを親指以外の指で行うことも想定できる。その場合に、右手で電子メトロノーム１０を握る場合には、電子メトロノーム１０の左側に位置する側面、上側面、もしくは背面が好ましい。また左手で電子メトロノーム１０を握る場合には、電子メトロノーム１０の右側に位置する側面、上側面、もしくは背面が好ましい。図５（ｂ）は、タッピングを親指以外の指で行うことを想定したときの、略円柱形状の電子メトロノーム１０を示す図である。このようにタップスイッチ５を電子メトロノームの裏面に配することで、どちらの手で握ってもタッピングが可能になる。また、表示装置１の無い面であるため、大き目のタップスイッチ５を設置することも可能であり、タッピング時の操作性を向上させることもできる。
【００３８】
このようの本発明によれば、電子メトロノーム１０のテンポの入力方法として、入力が簡便に済むタッピングの方法を用い、電子メトロノーム１０を手に握れるような大きさ、形状にすることにより、電子メトロノーム１０の操作性を向上させ、より正確なテンポを入力することができる。
【００３９】
またタップスイッチ５を、使用者が押し易い位置に配置することで、電子メトロノーム１０を手のひら全体を使って安定的に握りつつ、表示装置１のテンポの値を視認しつつ、正確なテンポを入力することができる。
【図面の簡単な説明】
【００４０】
【図１】本発明の電子メトロノームのブロック図である。
【図２】本発明の電子メトロノームの概観図である。
【図３】本発明の電子メトロノームをの操作説明図である。
【図４】本発明の電子メトロノームの概観図の応用例である。
【図５】本発明の電子メトロノームのタップスイッチの配置場所を説明する図である。
【符号の説明】
【００４１】
１  表示装置
２  スピーカ
３  ＬＥＤ
４  マイコン
５  タップスイッチ
１０  電子メトロノーム
【図１】
2007240336.tif 000003
【図２】
2007240336.tif 000004
【図３】
2007240336.tif 000005
【図４】
2007240336.tif 000006
【図５】
2007240336.tif 000007